(57)【要約】【課題】雨水の侵入を低減することができる観音扉式キャビネットを提供する。【解決手段】先に閉じられる扉２の裏面の上方端部に、上片１０と垂直片１１がＬ型になるように接続された断面Ｌ字形状を有する水切り部材９を、上片１０の先端をキャビネット本体１内部側にして取り付け、前記上片１０の両端は先に閉じられる扉２と後に閉じられる扉３の合わせ目８の隙間よりも左右に突出した構造であり、先に閉じられる扉２の裏面に取り付けられたパッキン７を前記垂直片１１上まで延設し、垂直片１１の少なくともパッキン７が取付けられている部分の両端と、上片１０と垂直片１１の交線の両端点１１ａが左右方向に異なる位置であることとする。なお、垂直片１１の少なくともパッキン７が取り付けられている部分の両端は、内側に切り欠いた形状あることが好ましい。【選択図】図８
2007303237.tif 000002
【特許請求の範囲】
【請求項１】
内部に収納部を有するキャビネット本体と、このキャビネット本体の前面の一方の側端に軸支された先に閉じられる扉と、先に閉じられる扉と反対側の、キャビネット本体の前面の側端に軸支された後に閉じられる扉と、キャビネット本体の開口部と先に閉じられる扉及び後に閉じられる扉をシールする、先に閉じられる扉及び後に閉じられる扉の裏面に取り付けられたパッキンからなる、左右に開く観音扉式キャビネットにおいて、先に閉じられる扉の裏面の上方端部に、上片と垂直片がＬ型になるように接続された断面Ｌ字形状を有する水切り部材を、上片の先端をキャビネット本体内部側にして取り付け、前記上片の両端は先に閉じられる扉と後に閉じられる扉の合わせ目の隙間よりも左右に突出した構造であり、先に閉じられる扉の裏面に取り付けられたパッキンを前記垂直片上まで延設し、垂直片の少なくともパッキンが取付けられている部分の両端と、上片と垂直片の交線の両端点が左右方向に異なる位置であることを特徴とする観音扉式キャビネット。
【請求項２】
垂直片の少なくともパッキンが取り付けられている部分の両端は、内側に切り欠いた形状であることを特徴とする請求項１に記載の観音扉式キャビネット。
【発明の詳細な説明】
【技術分野】
【０００１】
本発明は、屋外用の電気電子機器収納箱として用いるに適した、２枚の扉を備えた観音扉式キャビネットに関するものである。
【背景技術】
【０００２】
屋外に設置される観音扉式キャビネットは、先に閉じられる扉（内側扉）の合わせ目の部分に水平断面がコ字形状の垂直な水切り部を折り曲げ形成し、扉を閉じたときに他方の扉（外側扉）に設けられた差込部がコ字状の水切り部の内部に挿入されるようにして、雨水がキャビネット内に侵入することを防止している。また、各扉の上縁には、内側屈曲片を形成し、雨水をキャビネット本体の上縁部に形成されたＵ字溝に流下させている。これにより、扉の奥方向に流れる雨水は処理できるが、扉の合わせ目方向に流れる雨水が２枚の扉の間から流下してキャビネット内に侵入するおそれがある。
【０００３】
そこで、特許文献１の図３に示されるように、コ字形状に折曲形成された水切り部材を先に閉じられる扉の上方縁部に溶接し、後に閉じられる扉の先端がその上にかぶさるようにして、扉の合わせ目部分に形成される隙間を塞いでいるものがあった。
【０００４】
しかし、このようなものは、図１２に示されるように、水切り部材９の上片１０は、内側屈曲片４の高さよりもやや低いため、雨水が水切り部材９の上片１０の上面に入り込み、図１２中に矢印Ａで示す方向に流れた雨水は、垂直片１１の垂直端部１３を伝ってキャビネット内部に浸入する。
【０００５】
そこで、各扉の上部にキャビネット本体の上縁部と接触するパッキンを水平方向に設け、水切り部材とキャビネット本体との間をシールしている。
【０００６】
しかしながら、図１０、図１１に示されるように、水切り部材９と先に閉じられる扉２との間には水切り部材９の垂直片１１の板厚分ｈだけ段差が存在するため、パッキン７と扉２との間にごく僅かな隙間１４ａが上片１０と垂直片１１の交線の両端点１１ａの垂直方向の直線上に生じ、この隙間１４ａから雨水がキャビネット本体１の内部に侵入する恐れがあった。また、図１１に示されるように、後に閉じられる扉３の裏面に貼り付けられているパッキン７が、水切り部材９の垂直片１１で圧縮され、パッキン７とキャビネット本体１の密着部６との間にごく僅かな隙間１４ｂが、同様に上片１０と垂直片１１の交線の両端点１１ａの垂直方向の直線上に生じ、この隙間１４ｂから雨水がキャビネット本体１の内部に侵入する恐れがあった。
【０００７】
そこで、雨水の侵入を低減することができる観音扉式キャビネットの開発が要望されていた。
【０００８】
【特許文献１】特開２００３−１０６０６９号公報
【発明の開示】
【発明が解決しようとする課題】
【０００９】
雨水の侵入を低減することができる観音扉式キャビネットを提供することを目的として完成されたものである。
【課題を解決するための手段】
【００１０】
上記課題を解決するためになされた本発明は、内部に収納部を有するキャビネット本体と、このキャビネット本体の前面の一方の側端に軸支された先に閉じられる扉と、先に閉じられる扉と反対側の、キャビネット本体の前面の側端に軸支された後に閉じられる扉と、キャビネット本体の開口部と先に閉じられる扉及び後に閉じられる扉をシールする、先に閉じられる扉及び後に閉じられる扉の裏面に取り付けられたパッキンからなる、左右に開く観音扉式キャビネットにおいて、先に閉じられる扉の裏面の上方端部に、断面形状が少なくともＬ字形状となるように形成された上片と垂直片とを有する水切り部材を、上片の先端をキャビネット本体内部側にして取り付け、前記上片の両端は先に閉じられる扉と後に閉じられる扉の合わせ目の隙間よりも左右に突出した構造であり、先に閉じられる扉の裏面に取り付けられたパッキンを前記垂直片上まで延設し、垂直片の少なくともパッキンが取付けられている部分の両端と、上片と垂直片の交線の両端点が左右方向に異なる位置であることを特徴とするものである。
【００１１】
なお、垂直片の少なくともパッキンが取り付けられている部分の両端は、左右方向の内側に切り欠いた形状であることが好ましい。
【発明の効果】
【００１２】
先に閉じられる扉の裏面の上方端部に、上片と垂直片がＬ型になるように接続された断面Ｌ字形状を有する水切り部材を、上片の先端をキャビネット本体内部側にして取り付け、前記上片の両端は先に閉じられる扉と後に閉じられる扉の合わせ目の隙間よりも左右に突出した構造であり、先に閉じられる扉の裏面に取り付けられたパッキンを前記垂直片上まで延設し、垂直片の少なくともパッキンが取付けられている部分の両端と、上片と垂直片の交線の両端点が左右方向に異なる位置である構造とすると、キャビネット内部への水の侵入を低減することが可能となる。
【００１３】
また、垂直片の少なくともパッキンが取り付けられている部分の両端は、左右方向の内側に切り欠いた形状であることとすると、更に効果的に、キャビネット内部への水の侵入を低減することが可能となる。
【発明を実施するための最良の形態】
【００１４】
以下に、図面を参照しつつ本発明の好ましい実施の形態を示す。
図１は本発明の観音扉式キャビネットの全体斜視図であり、１はキャビネット本体であり、内部に電気機器を収納する収納部を有する。キャビネット本体１の形状は、例えば略直方体である。２は先に閉じられる扉、３は後に閉じられる扉である。先に閉じられる扉２及び後に閉じられる扉３の前面は略長方形状をしている。先に閉じられる扉２はキャビネット本体１の前面の一方の側端に軸支され、先に閉じられる扉２と反対側のキャビネット本体１の前面の側端に、後に閉じられる扉３が軸支されて、扉が左右に開く観音開きの構造となっている。
【００１５】
図１に示すように、先に閉じられる扉２の側端部には、キャビネット本体１の内部側に凹陥した断面略コの字形状の凹陥部２０が形成されている。一方、後に閉じられる扉３の側端部を、キャビネット本体１の内部側に、略Ｌ字形状に折り曲げて挿入部２１を形成している。この挿入部２１は、後も閉じられる扉３を閉じる際に凹陥部２０に挿入されて、正面からの雨水の侵入を防止している。
【００１６】
各扉２、３の上端部を、キャビネット本体１側にＬ字形状に折り曲げて内側屈曲片４を形成している。図２にキャビネット上部の断面図を示す。図２に示されるように、キャビネット本体１の前面上部にはＵ字溝１ａが形成されており、キャビネット本体１と内側屈曲片４の間から入った雨水はＵ字溝１ａに流入するようになっている。
【００１７】
図３に扉の裏面図を示す。各扉２、３の裏面には、キャビネット本体１の密着部６と密着するようにパッキン７が貼り付けてある。このパッキン７は、例えば扁平な管形状であり、合成ゴム等の柔軟性のある材質でできている。
【００１８】
図４に示されるように、先に閉じられる扉２の裏面の上方端部に、水切り部材９が溶接されている。この水切り部材９は、少なくとも断面形状がＬ字形状となるように折り曲げ形成された、略長方形状の上片１０及び垂直片１１を備えたもので、上片１０と垂直片１１がＬ型になるように接続された断面Ｌ字形状を有している。本実施例では、この水切り部材９は金属板を断面コの字状に屈曲したものである。この水切り部材９は、上片１０の先端をキャビネット本体１の内部側にし、垂直片１１を閉じられる扉２の裏面の上方端部に合わせて溶接されている。なお、この水切り部材９が断面コの字形状である場合、水切り部材９の下片１６が凹陥部２０の上端部に溶接されていることが好ましく、また、水切り部材９がＬ字形状の場合は、上片１０が凹陥部２０の上端を塞ぐように、水切り部材９が凹陥部２０の上端の上方に溶接されていることが好ましい。また、この水切り部材９は、金属製に限られず、樹脂で成型して、先に閉じられる扉２の裏面の上方端部に取り付けても差し支えない。先に閉じられる扉２の裏面に取り付けられたパッキン７を、垂直片１１上まで延設する。
【００１９】
図４に示されるように、水切り部材９は先に閉じられる扉２の合わせ目側の垂直端部１２からやや突出させてあり、この突出部分に後に閉じられる扉３が重なるようになっている。つまり、上片の両端１０ａは先に閉じられる扉２と後に閉じられる扉３の合わせ目８の隙間ｄ（図５に示す）よりも左右に突出した構造となっている。
【００２０】
図５、図６、図７、図８に示すように、垂直片１１の少なくともパッキン７が取り付けられている部分の両端１３は、左右方向の内側に切り欠いた形状となっており、垂直片１１の少なくともパッキン７が取り付けられている部分の両端１３と、上片１０と垂直片１１の交線の両端点１１ａ（図６に示す）が左右方向に異なる位置となっている。扉２と扉３の合わせ目の部分８から侵入した雨水は、上辺１０を伝って、上辺の両端１０ａから流下するが、隙間１４ａ及び隙間１４ｂは上辺の両端１０ａより内側にあり、流下した雨水が直接隙間１４ａ及び隙間１４ｂに侵入することがないので、雨水のキャビネット本体１内部への侵入を低減することが可能となる。
【００２１】
なお、隙間１４ａを減らすために、また先に閉じられる扉２を閉じたときに、パッキン７と密着部６との間に垂直片１１の板厚分の隙間が生じることを防ぐために、図９に示されるように、パッキン７の垂直片１１に取り付けられている部分は、断面の下半分を切り取った構造とすることが好ましい。
【００２２】
また、風雨が激しい時には、先に閉じられる側の隙間２と後に閉じられる扉３下側の合わせ目１５から、雨水が侵入する可能性もあるので、図３に示すように先に閉じられる扉２の下方端部にも同様に、水切り部材９を取り付けることが好ましい。
【００２３】
以上に説明したように、本発明によれば、先に閉じられる扉２の裏面の上方端部に、上片１０と垂直片１１がＬ型になるように接続された断面Ｌ字形状を有する水切り部材９を、上片１０の先端をキャビネット本体１内部側にして取り付け、前記上片１０の両端は先に閉じられる扉２と後に閉じられる扉３の合わせ目８の隙間よりも左右に突出した構造であり、先に閉じられる扉２の裏面に取り付けられたパッキン７を前記垂直片１１上まで延設し、垂直片１１の少なくともパッキン７が取付けられている部分の両端を、左右方向の内側に切り欠いた形状としたので、雨水のキャビネット本体１内部への侵入を低減することができる観音扉式キャビネットを提供することが可能となった。
【００２４】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う観音扉式キャビネットもまた技術的範囲に包含されるものとして理解されなければならない。    
【図面の簡単な説明】
【００２５】
【図１】本発明の観音扉式キャビネットの全体斜視図である。
【図２】キャビネット上部の断面図である。
【図３】扉の裏面図である。
【図４】要部の拡大図斜視図ある。
【図５】要部の拡大図である。
【図６】要部の裏面の斜視図である。
【図７】要部の垂直断面図である。
【図８】要部の裏側の拡大斜視図である。
【図９】パッキンの斜視図である。
【図１０】従来の切り欠き部を設けなかった場合の要部の斜視図である。
【図１１】図１０の垂直断面図である。
【図１２】図１０の拡大斜視図である。
【符号の説明】
【００２６】
１      キャビネット本体
１ａ    Ｕ字溝
２      先に閉じられる扉
３      後に閉じられる扉
４      内側屈曲片
５      内側屈曲片
６      密着部
７      パッキン
８      合わせ目部分
９      水切り部材
１０    上片
１０ａ  上片の両端
１１    垂直片
１１ａ  上片と垂直片の交線の両端点
１２    先に閉じられる扉の合わせ目側の垂直端部
１３    垂直片の垂直端部
１４ａ  隙間
１４ｂ  隙間
１５    合わせ目部分
１６    下片
２０    凹陥部
２１    挿入部
ｄ    両扉の合わせ目の隙間
ｈ    段差
【図１】
2007303237.tif 000003
【図２】
2007303237.tif 000004
【図３】
2007303237.tif 000005
【図４】
2007303237.tif 000006
【図５】
2007303237.tif 000007
【図６】
2007303237.tif 000008
【図７】
2007303237.tif 000009
【図８】
2007303237.tif 000010
【図９】
2007303237.tif 000011
【図１０】
2007303237.tif 000012
【図１１】
2007303237.tif 000013
【図１２】
2007303237.tif 000014